(57)【要約】【課題】ランバーサポートにおいて、ランバーサポート部材の縁が当たっているという感触を低減させることができるようにする。【解決手段】椅子１０の背凭れ８の背凭れ面を構成するメッシュ張地が張設される背フレーム７の左右枠部材７ａ，７ａの間に架け渡されるランバーサポートであり、樹脂によって一体に形成された着座者の腰部を支える本体部１ａと背フレーム７の左右枠部材７ａ，７ａに対して本体部１ａを支持する左右の取付部１ｂ，１ｂとを有し、本体部１ａには複数の開口１ｄが形成されると共に、本体部１ａの上端辺１ｆと下端辺１ｇとが、上下どちらか一方の同一の向きに湾曲しているようにした。【選択図】図１
2016036461.tif 000002
【特許請求の範囲】
【請求項１】
椅子の背凭れの背凭れ面を構成するメッシュ張地が張設される背フレームの左右枠部材の間に架け渡されるランバーサポートであり、樹脂によって一体に形成された着座者の腰部を支える本体部と前記背フレームの前記左右枠部材に対して前記本体部を支持する左右の取付部とを有し、前記本体部には複数の開口が形成されると共に、前記本体部の上端辺と下端辺とが、上下どちらか一方の同一の向きに湾曲していることを特徴とするランバーサポート。
【請求項２】
前記本体部の部分によって前記開口の大きさが異なることを特徴とする請求項１記載のランバーサポート。
【請求項３】
前記本体部の部分によって前記開口の相互の間隔が異なることを特徴とする請求項１記載のランバーサポート。
【請求項４】
前記本体部と前記左右の取付部との間にスリットが設けられることを特徴とする請求項１記載のランバーサポート。
【請求項５】
前記本体部の上下方向の幅が、前記左右の取付部寄りの部分と比べて左右方向における中央部分の方が広いことを特徴とする請求項１記載のランバーサポート。
【請求項６】
前記本体部の部分によって厚さが異なることを特徴とする請求項１記載のランバーサポート。
【請求項７】
請求項１から６のいずれか一つに記載のランバーサポートを備えることを特徴とする椅子。
【発明の詳細な説明】
【技術分野】
【０００１】
本発明は、椅子の背凭れに取り付けられて着座者の腰部を支えるランバーサポートに関する。さらに詳述すると、本発明は、枠部材と当該枠部材によって周縁部分が支持されるメッシュ状の張地とによって身体支持面が構成される背凭れに取り付けられるランバーサポートに関する。
【背景技術】
【０００２】
従来から、背凭れに凭れた着座者の腰部を支えるためにランバーサポートを備える椅子がある。しかしながら、ランバーサポート部材が取り付けられることにより、着座者が背凭れに凭れた時に、ランバーサポート部材が在る部分と無い部分との境においてランバーサポート部材の縁が当たっているという感触が生じ、背面全体が一様の感触でまんべんなく支えられているという快適性を発揮することができないという問題がある。
【０００３】
特に、枠状部材にメッシュ状の張地が張設されて構成された背凭れの場合には、クッション材が配設されて構成された背凭れと比べ、ランバーサポート部材の縁が当たっているという感触が直接的に感じられ、背凭れ面に凹凸があるように感じられてしまうという問題がある。
【０００４】
上述の問題を解消する従来のランバーサポートとして、図６に示すように、ランバーサポート部材１０１を着座者の腰部を支える当接部材１０２と当該当接部材１０２の左右の支持部材１０３，１０３とから構成することによって着座者の背中に当接する箇所を柔らかくするものがある（特許文献１）。なお、図６において、符号１０４は背枠を、符号１０５はメッシュ状の張地を、それぞれ表す。
【先行技術文献】
【特許文献】
【０００５】
【特許文献１】特開２００８−１１９４１０号
【発明の概要】
【発明が解決しようとする課題】
【０００６】
しかしながら、特許文献１のランバーサポートでは、複数の部材を組み合わせてランバーサポートを構成する必要があるため、部品点数の増加によってコストが高くなってしまうという問題がある。
【０００７】
そこで、本発明は、身体支持面（即ち、背凭れ面）を構成するメッシュ状の張地が張設された背凭れに備えられ、樹脂によって一体に成形されながらも、ランバーサポート部材の縁が当たっているという感触を低減させることができるランバーサポートを提供することを目的とする。
【課題を解決するための手段】
【０００８】
かかる目的を達成するため、本発明のランバーサポートは、椅子の背凭れの背凭れ面を構成するメッシュ張地が張設される背フレームの左右枠部材の間に架け渡されるランバーサポートであり、樹脂によって一体に形成された着座者の腰部を支える本体部と背フレームの左右枠部材に対して本体部を支持する左右の取付部とを有し、本体部には複数の開口が形成されると共に、本体部の上端辺と下端辺とが、上下どちらか一方の同一の向きに湾曲しているようにしている。
【０００９】
したがって、このランバーサポートによると、背フレームの左右枠部材の間に架け渡される態様のランバーサポートにおいて、着座者の腰部を支える本体部が上下どちらか一方に湾曲しているようにしているので、左右枠部材に取り付けられる両取付部間の最短距離で架け渡されるように直線形状である場合と比べて本体部の部材長を長くして撓み代を確保すると共に、左右枠部材に取り付けられる両取付部を結ぶ線分位置（即ち、最短距離の場合の位置）から離れるように上下どちらか一方に張り出した湾曲の凸部分（即ち、本体部の左右方向における中央部分）で着座者の腰部を受けてモーメントが働き易くすることにより、着座者の腰部（背面）を支える面が傾斜し易くなる。
【００１０】
また、本発明のランバーサポートは、本体部の部分によって開口の大きさが異なるようにしても良い。この場合には、開口の大きさ（面積）が変えられることによって撓み易い箇所と撓み難い箇所とが作られ、本体部の部分によって異なる適切な撓み易さが発揮されるように細かく調節され得る。
【００１１】
また、本発明のランバーサポートは、本体部の部分によって開口の相互の間隔が異なるようにしても良い。この場合には、開口の分布の粗密が変えられることによって撓み易い箇所と撓み難い箇所とが作られ、本体部の部分によって異なる適切な撓み易さが発揮されるように細かく調節され得る。
【００１２】
また、本発明のランバーサポートは、本体部と左右の取付部との間にスリットが設けられるようにしても良い。この場合には、取付部の本体部との連接箇所において本体部を支持する部分の上下方向幅が小さくなって本体部が傾斜し易くなると共に撓み易くなる一方で、左右の取付部の上下方向幅は確保されてこれら左右の取付部の背フレームへの係止強度が十分に確保される。
【００１３】
また、本発明のランバーサポートは、本体部の上下方向の幅が、左右の取付部寄りの部分と比べて左右方向における中央部分の方が広いようにしても良い。この場合には、上下方向の幅が変えられることにより、本体部の中央部分は撓み易くなると共に左右の取付部寄りの部分は撓み難くなり、本体部の部分によって異なる適切な撓み易さが発揮されるように細かく調節され得る。
【００１４】
また、本発明のランバーサポートは、本体部の部分によって厚さが異なるようにしても良い。この場合には、厚さが変えられることによって撓み易い箇所と撓み難い箇所とが作られ、本体部の部分によって異なる適切な撓み易さが発揮されるように細かく調節され得る。
【００１５】
また、本発明の椅子は上述のランバーサポートを備えるようにしている。この場合には、上述のランバーサポートの作用が奏される椅子が実現される。
【発明の効果】
【００１６】
本発明のランバーサポートやこのランバーサポートを備える椅子によれば、ランバーサポートの本体部を湾曲させることによって部材長を長くして撓み代を確保すると共に湾曲の凸部分で着座者の腰部を受けてモーメントが働き易くすることにより、着座者の腰部を支える面を傾斜し易くすることができるので、ランバーサポートの支持面の、着座者の背面傾斜への追従性を向上させることが可能になり、樹脂によって一体に成形されながらも、背凭れに凭れた時のランバーサポートの上端や下端の当たりを柔らかくしてサポート感や快適性の向上を図ることが可能になる。
【００１７】
また、本発明のランバーサポートやこのランバーサポートを備える椅子は、本体部の部分によって、開口の大きさが異なるようにしたり、開口の相互の間隔が異なるようにしたり、上下方向の幅が左右両側と比べて中央部分の方が広いようにしたり、さらに、厚さが異なるようにしたりしても良く、これらの場合には、本体部の部分によって異なる適切な撓み易さが発揮されるように細かく調節することができるので、ランバーサポートの支持面の、着座者の背面傾斜への追従性を更に向上させることが可能になり、背凭れに凭れた時のランバーサポートの上端や下端の当たりを柔らかくしてサポート感や快適性の更なる向上を図ることが可能になる。
【００１８】
また、本発明のランバーサポートやこのランバーサポートを備える椅子は、本体部と左右の取付部との間にスリットが設けられるようにしても良く、この場合には、本体部を傾斜し易くすると共に撓み易くする一方で取付部の係止強度を十分に確保することができるので、椅子としての安全性を確保しつつ、ランバーサポートの支持面の、着座者の背面傾斜への追従性を更に向上させることが可能になり、背凭れに凭れた時のランバーサポートの上端や下端の当たりを柔らかくしてサポート感や快適性の更なる向上を図ることが可能になる。
【図面の簡単な説明】
【００１９】
【図１】本発明のランバーサポートの実施形態の一例を示す図であり、椅子の全体構造を含む正面図である。
【図２】本発明のランバーサポートの実施形態の一例を示す図であり、椅子の全体構造を含む側面図である。
【図３】実施形態のランバーサポートの正面図である。
【図４】実施形態のランバーサポートを示す図である。（Ａ）は平面図である。（Ｂ）は正面上方からの斜視図である。
【図５】ランバーサポートの本体部の形状の例(ａ)〜(ｃ)を示す図である。
【図６】従来のランバーサポートを示す図であり、椅子の背凭れを含む正面図である。
【発明を実施するための形態】
【００２０】
以下、本発明の構成を図面に示す実施の形態の一例に基づいて詳細に説明する。
【００２１】
図１から図５に、本発明のランバーサポートの実施形態の一例を示す。なお、本実施形態では、本発明のランバーサポートが図１及び図２に全体構造を示す椅子１０に適用された場合を例に挙げて説明する。また、本明細書においては、椅子１０の座９に座った着座者を基準にして上下、前後、左右の各方向を定義する。
【００２２】
本実施形態の椅子１０は、事務用椅子とも呼ばれる回転椅子であり、キャスターを備える脚１１と、当該脚１１の脚支柱１１ａの頂端に取り付けられ支持されるメインフレーム１２と、当該メインフレーム１２に支持される座９及び背凭れ８とを有する。
【００２３】
なお、本発明における背凭れ８，座９，メインフレーム１２の取り付け・支持の仕方は、特定の態様・仕組みに限定されるものではなく、例えば椅子全体としての構造やデザインなども考慮されて適当なものが適宜選択され得る。
【００２４】
背凭れ８は、左右方向において相対向する二辺の枠部材を少なくとも有する背フレームと、当該背フレームを前面において覆うように張り渡されて身体支持面（即ち、背凭れ面）を構成するメッシュ状の張地（以下、メッシュ張地と呼ぶ）とを有する。
【００２５】
背凭れ８の背凭れ面は、平面視において（言い換えると、横断面において）、左右方向における中央部が、左右両側部に対して後方に凸となる弓形をなすように構成される。
【００２６】
本実施形態の椅子１０における背凭れ８は、上下左右においてメッシュ張地を支持する概ね矩形環状の背フレーム７と、係止用の細板状（言い換えると、帯状）の樹脂コードが周縁に縫い付けられたメッシュ張地とで構成される。なお、図１及び図２においては、ランバーサポート１の構造が分かり易いようにメッシュ張地を図示していない。
【００２７】
本実施形態の背フレーム７は、概ね矩形環状の枠体として構成され、一対の左右枠部材７ａ，７ａと上枠部材７ｂと下枠部材７ｃとを有する。
【００２８】
背フレーム７は、側面視において着座者の腰部を支える位置が前方に最も突出するく字形をなすように構成される。
【００２９】
そして、背フレーム７の左右枠部材７ａ，上枠部材７ｂ，下枠部材７ｃそれぞれの外側周面（言い換えると、外周縁部）に形成された張地取付用溝７ｄに、メッシュ張地の周縁に縫い付けられた樹脂コードともどもメッシュ張地の縁部が折り返されて嵌め込まれることにより、所定のテンションが付与されながら背フレーム７の前面側にメッシュ張地が張設されて固定される。
【００３０】
なお、メッシュ張地の背フレーム７への固定構造は、上述のように張地取付用溝７ｄを利用する構造に限定されるものではなく、背フレーム７の形状や構造などが考慮されて適当なものが適宜選択され得る。具体的には例えば、熱収縮性を有するメッシュ張地が無張力状態で若しくは背凭れの身体支持面（背凭れ面）として必要な張力より弱い張力が付与された状態で枠部材に予め固定されてから、メッシュ張地が加熱されて縦横に収縮することにより、背凭れの身体支持面（背凭れ面）として必要な弾力性を発揮する張力が与えられるようにしても良い。
【００３１】
さらに、メッシュ張地の背フレーム７への固定の仕方は、上述の手法に限定されるものではなく、メッシュ張地の素材などが考慮されて適当なものが適宜選択され得る。具体的には例えば、厚み方向に二分割されたフレームの間にメッシュ張地の周縁が挟み込まれてから接着，ねじ止め，嵌合，縫製などがなされることにより、メッシュ張地が背フレーム７に固定されるようにしても良い。
【００３２】
本発明におけるメッシュ張地の素材は、特定の種類に限定されるものではなく、椅子の背凭れの身体支持面（背凭れ面）として必要とされる強度や弾性力を発揮し得るものであることなどが考慮されて適当なものが適宜選択され得る。例えば、必要な強度や弾力性を発揮させる張力を生じ得る柔軟性を有する熱収縮性素材によって構成される全てのメッシュ状の編物若しくは織物が用いられることが考えられ、具体的にはポリエステル糸やナイロン糸などの熱可塑性樹脂繊維による編物若しくは織物が用いられることが考えられる。
【００３３】
そして、本実施形態のランバーサポート１は、椅子１０の背凭れ８の背凭れ面を構成するメッシュ張地が張設される背フレーム７の左右枠部材７ａ，７ａの間に架け渡されるランバーサポートであり、樹脂によって一体に形成された着座者の腰部を支える本体部１ａと背フレーム７の左右枠部材７ａ，７ａに対して本体部１ａを支持する左右の取付部１ｂ，１ｂとを有し、本体部１ａには複数の開口１ｄが形成されると共に、本体部１ａの上端辺１ｆと下端辺１ｇとが、下向きに湾曲しているようにしている。
【００３４】
ランバーサポート１は、側面視く字形をなす背フレーム７の前方に最も突出する箇所（高さ位置）において左右枠部材７ａ，７ａの間に架け渡される。
【００３５】
左右の取付部１ｂ，１ｂは、ランバーサポート１を背フレーム７に取り付けるためのものであり、本体部１ａの左右両側に連接して樹脂によって形成され、それぞれ、背フレーム７の左右枠部材７ａ，７ａに取り付けられる。
【００３６】
取付部１ｂに溝が形成される場合には（図３，図４参照）、溝の方向に沿って取付部１ｂが撓み易くなるので、溝の方向が調整されることによって取付部１ｂが撓み易くなる方向が適切になるように調節され得ると共に、溝の本数が調整されることによって撓み易さが適切になるように調節され得る。
【００３７】
左右の取付部１ｂ，１ｂのそれぞれには、後方に延出する係止片１ｃ，１ｃが設けられる。
【００３８】
また、背フレーム７の一対の左右枠部材７ａ，７ａのそれぞれには、前面側の、着座者の腰部に対応する高さ位置に、溝７ｅが形成される。
【００３９】
本実施形態では、背フレーム７の溝７ｅが左右枠部材７ａの長手方向に沿う方向（即ち、概ね上下方向）に形成され、当該溝７ｅの方向に沿う方向で後方に延出する板状の係止片１ｃがランバーサポート１に形成される。
【００４０】
そして、左右の取付部１ｂ，１ｂの後面側に形成された係止片１ｃ，１ｃが一対の左右枠部材７ａ，７ａの各々の前面側に形成された溝７ｅにそれぞれ嵌め込まれることによって取付部１ｂが左右枠部材７ａに取り付けられ、ランバーサポート１が背フレーム７の一対の左右枠部材７ａ，７ａの間に架け渡される。なお、係止片１ｃの形状は、左右枠部材７ａの溝７ｅに挿入されることによって所定の係止の働きをし得るものであれば、特定の形状には限定されない。
【００４１】
ランバーサポート１は、背フレーム７の左右枠部材７ａ，７ａに対して昇降可能であるように構成されるようにしても良い。具体的には例えば、背フレーム７の左右枠部材７ａの溝７ｅが、長手方向長さ（言い換えると、上下方向長さ）がランバーサポート１の取付部１ｂの係止片１ｃの上下方向長さよりも長くなるように形成され、且つ、係止片１ｃが溝７ｅに摺動可能に挿入されることにより、取付部１ｂが左右枠部材７ａに対して上下スライド自在であってランバーサポート１が背フレーム７の左右枠部材７ａに対して昇降可能に構成されるようにしても良い。
【００４２】
なお、メッシュ張地は、背フレーム７の一対の左右枠部材７ａ，７ａにランバーサポート１が取り付けられた状態で、背フレーム７及びランバーサポート１を覆うように背フレーム７の前面側に張り渡されて取り付けられる。すなわち、ランバーサポート１は、メッシュ張地の後ろ側に配設され、メッシュ張地を後方から支えるように設けられる。
【００４３】
メッシュ張地とランバーサポート１とは、あるいは、背フレーム７を覆うように背フレーム７の前面側にメッシュ張地が張り渡されて取り付けられた状態で、背フレーム７の後面側から一対の左右枠部材７ａ，７ａにランバーサポート１が取り付けられるようにしても良い。この場合には、メッシュ張地の若干の伸びを利用して背フレーム７の後面側からランバーサポート１の係止片１ｃが滑り込ませられる。
【００４４】
また、本発明における背フレーム７へのランバーサポート１の取り付けの仕方は、ランバーサポート１が着座者の腰部付近を横切るように一対の左右枠部材７ａ，７ａの間に架け渡されて背フレーム７に支持されるものであれば、特定の態様・仕組みに限定されるものではなく、背フレーム７の形状や構造なども考慮されて適当なものが適宜選択され得る。
【００４５】
ランバーサポート１の本体部１ａは、着座者の腰部付近に位置してメッシュ張地と共に着座者の腰部を支えるものであり、左右の取付部１ｂ，１ｂと一体のものとして樹脂によって形成される。
【００４６】
本体部１ａの素材としての樹脂は、適度な弾性を有するものであれば特定の種類に限定されるものではなく、具体的には例えばポリプロピレンなどが用いられ得る。
【００４７】
ランバーサポート１は、平面視において（言い換えると、横断面において）、左右方向における中央部分が、左右両端部に対して後方に凸となる弓形をなすように、そして、背フレーム７に張り渡されるメッシュ張地の横断面形状に沿う形状に構成される。また、ランバーサポート１の本体部１ａは、側面視において（言い換えると、縦断面において）、上下方向における中央部が、上下両端部に対して前方に凸となる弓形をなすように、そして、背フレーム７に張り渡されるメッシュ張地の縦断面形状に沿う形状に構成される。
【００４８】
ランバーサポート１の本体部１ａは、上端辺１ｆと下端辺１ｇとがどちらも上に凸になるように（言い換えると、上向きに）湾曲して形成されることによって全体として左右方向における中央部が上に凸となる弓形に形成されるようにしても良いし、上端辺１ｆと下端辺１ｇとがどちらも下に凸になるように（言い換えると、下向きに）湾曲して形成されることによって全体として左右方向における中央部が下に凸となる弓形に形成されるようにしても良い。
【００４９】
ランバーサポート１の本体部１ａは、また、上端辺１ｆと下端辺１ｇとが相互に平行であるように形成されて左右方向の全長に亘って同一幅の帯状に形成されるようにしても良いし、左右の取付部１ｂ，１ｂ寄りの部分よりも左右方向における中央部分の方が幅広に形成されるようにしても良い。なお、この場合も、ランバーサポート１の本体部１ａは、全体としては、中央部が上に凸となる弓形に形成されたり、中央部が下に凸となる弓形に形成されたりする。
【００５０】
さらに言えば、ランバーサポート１の本体部１ａの形状は、上端辺１ｆと下端辺１ｇとのどちらもが本体部１ａの左右両端間の直線長さＬよりも長く且つ上端辺１ｆと下端辺１ｇとが上下どちらか一方の同一の向きに湾曲していれば（言い換えると、本体部１ａ全体として中央部が上若しくは下に凸となる概ね弓形であれば）、どのような形状であっても構わない。具体的には、ランバーサポート１の本体部１ａは、上述のように、上端辺１ｆと下端辺１ｇとが相互に平行であるように形成されて左右方向の全長に亘って同一幅の帯状に形成されるようにしても良いし（図５(ａ)）、左右の取付部１ｂ，１ｂ寄りの部分から左右方向における中央部分に向かって徐々に幅広になるように形成されるようにしても良いし（同図(ｂ)）、或いは、左右の取付部１ｂ，１ｂ寄りの部分が細幅の帯状に形成されると共に下端辺１ｇの左右方向における中央部分が特に突出して湾曲しているように形成されるようにしても良い（同図(ｃ)）。そして、図５(ａ)，(ｂ)，(ｃ)はいずれも上端辺１ｆと下端辺１ｇとのどちらもが下向きに湾曲するようにしているが、ランバーサポート１全体として上下を逆さにし、上端辺１ｆと下端辺１ｇとのどちらもが上向きに湾曲するようにしても良い。なお、図５においては、本体部１ａの、後述する開口１ｄ及びスリット１ｅを図示していない。
【００５１】
そして、本体部１ａの部分（言い換えると、領域）によって上下方向の幅が変えられることによって撓み易い箇所と撓み難い箇所とが作られ、本体部１ａの部分によって異なる適切な撓み易さが発揮されるように細かく調節されることが可能になる。
【００５２】
ランバーサポート１の本体部１ａには、複数の開口１ｄ（言い換えると、貫通孔）が形成される。開口１ｄの形状は、特定のものに限定されるものではなく、具体的には例えば、円形や楕円形などの四方への拡がりを有する面的な形状でも良いし、スリットなどの細長の線的な形状でも良い。
【００５３】
ランバーサポート１の本体部１ａに形成される複数の開口１ｄは、全てが同じ形状・大きさに形成されるようにしても良いし、一部若しくは全てが異なる形状・大きさに形成されるようにしても良い。本体部１ａの部分（言い換えると、領域）によって開口１ｄの大きさ（面積）が変えられることによって撓み易い箇所と撓み難い箇所とが作られ、本体部１ａの部分によって異なる適切な撓み易さが発揮されるように細かく調節されることが可能になる。
【００５４】
ランバーサポート１の本体部１ａに形成される複数の開口１ｄは、また、本体部１ａの全面に亙って均一のピッチで（言い換えると、開口１ｄの相互の間隔が均一であるように）形成されるようにしても良いし、本体部１ａの一部において若しくは全面に亙って異なるピッチで（言い換えると、開口１ｄの分布に粗密があるように）形成されるようにしても良い。本体部１ａの部分（言い換えると、領域）によって開口１ｄの分布の粗密が変えられることによって撓み易い箇所と撓み難い箇所とが作られ、本体部１ａの部分によって異なる適切な撓み易さが発揮されるように細かく調節されることが可能になる。
【００５５】
ランバーサポート１の本体部１ａに形成される複数の開口１ｄの形状・大きさやピッチを変えることにより、着座者が背凭れ８に凭れた際の本体部１ａの撓み易さを調節することができる。すなわち、本体部１ａの部分（領域）によって、本体部１ａの面積当たりの開口１ｄの面積の合計（即ち、開口１ｄの割合）が異なる場合には、開口１ｄの面積の合計（割合）が大きい部分の方が小さい部分よりも撓み易い。
【００５６】
例えば、図３に示す例のように、本体部１ａの中央部分（領域）の開口１ｄの径を周縁部分の開口１ｄの径よりも大きくすることにより、着座者を支える部分を撓み易くして着座者の腰部とのフィット感を向上させると共に周縁部は適当な剛性を有して着座者の腰部を確り支えるようにすることが考えられる。
【００５７】
また、本体部１ａの中央部分（領域）における開口１ｄの相互の間隔を周縁部分における開口１ｄの相互の間隔よりも小さくする（即ち、開口１ｄの分布を密にする）ことにより、着座者を支える部分を撓み易くして着座者の腰部とのフィット感を向上させると共に周縁部は適当な剛性を有して着座者の腰部を確り支えるようにすることが考えられる。
【００５８】
また、本体部１ａの開口としてスリットなどの細長の形状の開口が形成される場合には、細長形状の長手方向に沿って本体部１ａが撓み易くなるので、細長形状の開口の長手方向が調整されることによって本体部１ａが撓み易くなる方向が適切になるように調節され得る。
【００５９】
ランバーサポート１の本体部１ａは、全体に亘って厚さが同一であるように形成されるようにしても良いし、一部において若しくは全体に亘って厚さが異なるように形成されるようにしても良い。本体部１ａの部分（言い換えると、領域）によって厚さが変えられることによって撓み易い箇所と撓み難い箇所とが作られ、本体部１ａの部分によって異なる適切な撓み易さが発揮されるように細かく調節されることが可能になる。
【００６０】
また、ランバーサポート１は、図３に示す例のように、本体部１ａと左右の取付部１ｂ，１ｂとの間のそれぞれに、下端側から細長に切り込まれて形成されたスリット１ｅ，１ｅが設けられるようにしても良い。なお、本体部１ａと左右の取付部１ｂ，１ｂとの間のスリットは、上端側から細長に切り込まれて形成されるようにしても良く、また、上端側から細長に切り込まれて形成される上側スリットと下端側から細長に切り込まれて形成される下側スリットとの上下対向する一対のスリットとして形成されるようにしても良い。
【００６１】
本体部１ａと左右の取付部１ｂ，１ｂとの間にスリット１ｅ，１ｅが設けられることにより、取付部１ｂの本体部１ａとの連接箇所において本体部１ａを支持する部分の上下方向幅が小さくなって（言い換えると、左右の取付部１ｂ，１ｂによる本体部１ａの拘束が緩和されて）本体部１ａが傾斜し易くなると共に撓み易くなる一方で、左右の取付部１ｂ，１ｂ及び係止片１ｃ，１ｃの上下方向幅は確保されてこれら左右の取付部１ｂ，１ｂ及び係止片１ｃ，１ｃの背フレーム７への係止強度が十分に確保される。また、スリット１ｅ，１ｅの切り込み長さが調整されることにより、本体部１ａの傾斜のし易さが適切になるように調節され得る。
【００６２】
また、図１乃至図４に示す本実施形態のランバーサポート１のように全体として下に凸となる湾曲形状に形成されると共に本体部１ａと左右の取付部１ｂ，１ｂとの間にスリット１ｅ，１ｅが設けられた場合には、本体部１ａは上端側と比べて下端側の方が撓み易くなる。この場合に、着座者の着座姿勢との関係を考えると、着座者の腰部付近を本体部１ａの上端側で確りと支えたときに、下端側は着座者の腰部から臀部にかけての緩やかなＳ字の変曲点から下方の部分を支えることになる。このとき、本体部１ａの下端側は、本体部１ａ自体の湾曲形状とスリット１ｅ，１ｅとにより、着座者の腰部から臀部にかけてのＳ字に沿って撓み、着座者の背面に適確に追従することができる。
【００６３】
本体部１ａの傾斜のし易さが適切になるように調節されることにより、着座者の背面傾斜へのランバーサポート支持面の追従性が向上してランバーサポート１の上端や下端の当たりを柔らかくし、背凭れ８に凭れた時のサポート感や快適性が向上する。
【００６４】
以上のように構成されたランバーサポート１やこのランバーサポート１を備える椅子によれば、着座者の腰部を支える本体部１ａが上下どちらか一方に湾曲しているようにしているので、背フレーム７の一対の左右枠部材７ａ，７ａに取り付けられる両取付部１ｂ，１ｂ間の最短距離で架け渡されるように直線形状である場合と比べて本体部１ａの部材長を長くして撓み代を確保すると共に、一対の左右枠部材７ａ，７ａに取り付けられる両取付部１ｂ，１ｂを結ぶ線分位置（即ち、最短距離の場合の位置）から離れるように上下どちらか一方に張り出した湾曲の凸部分（即ち、本体部１ａの左右方向における中央部分）で着座者の腰部を受けてモーメントが働き易くすることにより、着座者の腰部を支える面を傾斜し易くすることができる。これにより、ランバーサポート１の支持面の、着座者の背面傾斜への追従性を向上させることが可能になり、背凭れ８に凭れた時のランバーサポート１の上端（上端辺１ｆ）や下端（下端辺１ｇ）の当たりを柔らかくしてサポート感や快適性の向上を図ることが可能になる。
【００６５】
以上のように構成されたランバーサポート１やこのランバーサポート１を備える椅子によれば、さらに、本体部１ａと左右の取付部１ｂ，１ｂとの間のそれぞれにスリット１ｅ，１ｅが設けられるようにしているので、取付部１ｂの本体部１ａとの連接箇所において本体部１ａを支持する部分の上下方向幅が小さくなって本体部１ａを傾斜し易くすると共に撓み易くする一方で、左右の取付部１ｂ，１ｂの上下方向幅は確保されてこれら左右の取付部１ｂ，１ｂの背フレーム７への係止強度を十分に確保することができる。これにより、椅子としての安全性を確保しつつ、ランバーサポート１の支持面の、着座者の背面傾斜への追従性を更に向上させることが可能になり、背凭れ８に凭れた時のランバーサポート１の上端（上端辺１ｆ）や下端（下端辺１ｇ）の当たりを柔らかくしてサポート感や快適性の更なる向上を図ることが可能になる。
【００６６】
なお、上述の形態は本発明を実施する際の好適な形態の一例ではあるものの本発明の実施の形態が上述のものに限定されるものではなく、本発明の要旨を逸脱しない範囲において本発明は種々変形実施可能である。例えば、上述の実施形態では本発明のランバーサポートが図１及び図２に全体構造を示す椅子１０に適用された場合を例に挙げて説明したが、本発明のランバーサポートが適用され得る椅子は図１及び図２に示す椅子１０に限られるものではなく、背凭れを構成する背フレームが左右一対の枠部材を有すると共にこれら左右一対の枠部材の間にランバーサポートが架け渡される空間を有していれば、他の構成・構造はどのような椅子であっても構わない。
【符号の説明】
【００６７】
１  ランバーサポート
１ａ  本体部
１ｂ  取付部
１ｃ  係止片
１ｄ  開口
１ｅ  スリット
１ｆ  上端辺
１ｇ  下端辺
７  背フレーム
７ａ  左右枠部材
８  背凭れ
９  座
１０  椅子
【図１】
2016036461.tif 000003
【図２】
2016036461.tif 000004
【図３】
2016036461.tif 000005
【図４】
2016036461.tif 000006
【図５】
2016036461.tif 000007
【図６】
2016036461.tif 000008